(57)【要約】      （修正有）【課題】設置された雨水タンクが設置面から浮き上がってしまうのを防ぐことができ、また、雨水タンクを設置する施工性を向上させる雨水タンクの固定構造を提供する。【解決手段】雨水タンク１と、設置面６に雨水タンク１を固定する固定具３とを備えた雨水タンクの固定構造である。雨水タンク１は、一対の脚部２１と、一対の脚部２１の間に設けられた凹所２２と、雨水タンク１の後面に設けられた第１の横溝部と、雨水タンク１の前面に設けられた第２の横溝部２８２とを備えている。固定具３は、凹所２２内に配置された固定具本体４と、この固定具本体４に設けられて第１の横溝部に挿入される第一突条部と、第２の横溝部２８２に挿入される第二突条部５３を有し固定具本体４に取り付けられる前部材５とを備えている。【選択図】図１
2014051878.tif 000002
【特許請求の範囲】
【請求項１】
内部に雨水を貯留し設置面に載置された雨水タンクと、
前記設置面に前記雨水タンクを固定する固定具と
を備えた雨水タンクの固定構造であって、
前記雨水タンクは、
下端部において左右方向に離間して設けられた一対の脚部と、
一対の脚部の間に設けられ底面から上方に凹没し前後方向に開口する凹所と、
前記雨水タンクの後面に設けられ後方に向かって開口する第１の横溝部と、
前記雨水タンクの前面に設けられ前方に向かって開口する第２の横溝部と
を備え、
前記固定具は、
前記凹所内に配置され前記設置面に固定される固定具本体と、
この固定具本体に設けられて前記第１の横溝部に挿入される第一突条部と、
前記第２の横溝部に挿入される第二突条部を有し前記固定具本体に取り付けられる前部材と
を備えている
ことを特徴とする雨水タンクの固定構造。
【請求項２】
前記固定具は、
前記第一突条部と前記第二突条部との対向間の距離が第１の距離となるよう本体部に前部材が取り付けられる第一取付部と、
前記第一突条部と前記第二突条部との対向間の距離が第１の距離よりも長い第２の距離となるよう本体部に前部材が取り付けられる第二取付部と
を備え、
前記本体部に前記前部材が取り付けられる際、前記雨水タンクの前後方向の長さに応じて第一取付部および第二取付部のいずれかが選択されるものである
ことを特徴とする請求項１記載の雨水タンクの固定構造。
【発明の詳細な説明】
【技術分野】
【０００１】
本発明は、雨水タンクの固定構造に関する。
【背景技術】
【０００２】
特許文献１には、従来の雨水タンクの固定構造が開示されている。この特許文献１記載の貯水タンクには、背面上部にフック部材が設けられている。フック部材には、チェーンやワイヤー等の紐状部材が挿通される。紐状部材は、フック部材に通された状態で、その両端が地面に打設されて固定される。
【０００３】
また貯水タンクには、ベース部材が取り付けられている。ベース部材は、地面に固定される固定部と、固定部の外周縁から立設された保持片とを備えている。貯水タンクの下端部は、地面に固定されたベース部材に嵌め込まれる。
【０００４】
特許文献１記載の貯水タンクは、上端部が、フック部材に通された紐状部材を介して地面に固定され、さらに下端部がベース部材を介して固定され、これにより地面に設置されている。
【先行技術文献】
【特許文献】
【０００５】
【特許文献１】特開２０１１−１７４２６２号公報
【発明の概要】
【発明が解決しようとする課題】
【０００６】
ところで特許文献１記載のベース部材は、固定部が地面に固定され、保持片が固定部の外周縁から立設されている。貯水タンクがベース部材に取り付けられると、貯水タンクが固定部の上方に載置され、保持片により水平方向の移動が規制される。
【０００７】
しかしながら、この特許文献１記載の貯水タンクの下端部は、保持片により位置規制されただけであるので、地震などが生じた場合、貯水タンクが浮き上がる可能性がある。
【０００８】
また、特許文献１記載の貯水タンクの固定構造では、貯水タンクをベース部材に取り付けるに当たり、施工者は、貯水タンクを保持片の上端よりも高く持ち上げなければ、貯水タンクをベース部材に取り付けることができない。
【０００９】
本発明は、上記事情に鑑みてなされたものであり、その目的とするところは、設置された雨水タンクが設置面から浮き上がってしまうのを防ぐことができ、また、雨水タンクを設置する施工性を向上させる雨水タンクの固定構造を提供することにある。
【課題を解決するための手段】
【００１０】
本発明の雨水タンクの固定構造は、内部に雨水を貯留し設置面に載置された雨水タンクと、前記設置面に前記雨水タンクを固定する固定具とを備えた雨水タンクの固定構造であって、前記雨水タンクは、下端部において左右方向に離間して設けられた一対の脚部と、一対の脚部の間に設けられ底面から上方に凹没し前後方向に開口する凹所と、前記雨水タンクの後面に設けられ後方に向かって開口する第１の横溝部と、前記雨水タンクの前面に設けられ前方に向かって開口する第２の横溝部とを備え、前記固定具は、前記凹所内に配置され前記設置面に固定される固定具本体と、この固定具本体に設けられて前記第１の横溝部に挿入される第一突条部と、前記第２の横溝部に挿入される第二突条部を有し前記固定具本体に取り付けられる前部材とを備えていることを特徴とする。
【００１１】
またこの雨水タンクの固定構造において、前記固定具は、前記第一突条部と前記第二突条部との対向間の距離が第１の距離となるよう本体部に前部材が取り付けられる第一取付部と、前記第一突条部と前記第二突条部との対向間の距離が第１の距離よりも長い第２の距離となるよう本体部に前部材が取り付けられる第二取付部とを備え、前記本体部に前記前部材が取り付けられる際、前記雨水タンクの前後方向の長さに応じて第一取付部および第二取付部のいずれかが選択されるものであることが好ましい。
【発明の効果】
【００１２】
本発明の雨水タンクの固定構造によれば、設置された雨水タンクが設置面から浮き上がってしまうのを防ぐことができ、強固に固定できる。また、施工者は、雨水タンクを、設置面上を滑らせて移動させ、予め設置面に固定された本体部に固定することができるため、雨水タンクを持ち上げなくても取付施工できる。これにより、本発明の雨水タンクの固定構造によれば、雨水タンクを設置する施工性を向上させることができる。
【図面の簡単な説明】
【００１３】
【図１】実施形態１の雨水タンクの固定構造の斜視図である。
【図２】実施形態１の固定具の分解斜視図である。
【図３】（ａ）〜（ｃ）は、実施形態１の雨水タンクの施工手順を示す要部断面図である。
【図４】実施形態１の雨水タンクの固定構造の側断面図である。
【図５】実施形態１の固定具において、（ａ）は、第一取付部を介して固定具本体と前部材とが取り付けられた斜視図であり、（ｂ）は、第二取付部を介して固定具本体と前部材とが取り付けられた斜視図である。
【図６】実施形態１の雨水タンクの固定構造の背面図である。
【図７】実施形態２の固定具の分解斜視図である。
【図８】（ａ）〜（ｃ）は、実施形態２の雨水タンクの施工手順を示す要部断面図である。
【発明を実施するための形態】
【００１４】
以下、本発明の実施形態について添付図面に基づいて説明する。
【００１５】
実施形態１の雨水タンク１の固定構造は、図１に示されるように、雨水タンク１と、固定具３とを備えている。雨水タンク１は、設置面６に載置される。固定具３は、設置面６に固定されており、雨水タンク１を設置面６に固定する。
【００１６】
ここで、平面視において雨水タンク１の長さ方向に平行な方向は、左右方向として定義される。また、雨水タンク１の幅方向に平行な方向は、前後方向として定義される。特に、雨水タンク１の中央から蛇口部２６が設けられた側面側に向かう方向は、前方向（前方）として定義される。また雨水タンク１の中央から、蛇口部２６が設けられた側面とは反対側の側面に向かう方向は、後方向（後方）として定義される。
【００１７】
設置面６は、雨水タンク１を設置するための載置面である。設置面６は、例えば、地面や、コンクリート床などが挙げられる。設置面６は、水平な面が望ましいが、水平面に限らない。
【００１８】
雨水タンク１は、タンク本体２と、蓋部材１１とを備えている。タンク本体２は、上方に開口した有底箱形状に形成されている。タンク本体２は、前面と後面とを有しており、断面略楕円形状に形成されている。タンク本体２は、平面視において、横方向に長さを有し、前後方向に幅を有している。また、タンク本体２は、上下方向に高さを有している。タンク本体２の内部は、貯水部となっている。貯水部には、雨水が貯留される。タンク本体２は設置面６に載置される。蓋部材１１はタンク本体２の上方の開口に着脱自在に取り付けられる。
【００１９】
なお、タンク本体２は、断面略楕円形状でなくてもよい。例えば、断面矩形状であってもよいし、断面円形状であってもよい。断面円形状のタンク本体２は、前方側に臨む半円弧部が前面となり、後方側に臨む半円弧部が後面となる。
【００２０】
タンク本体２は、左右一対の脚部２１と、脚部２１の間に設けられた凹所２２と、前面および後面にそれぞれ設けられた側面凹部２３とを備えている。さらに、タンク本体２は、図６に示されるように、取水口２４と、排水口２５と、蛇口部２６（図１）と、下端排水部２７とを備えている。
【００２１】
タンク本体２は、図１に示されるように、水平方向に連続して設けられた横溝部２８を有している。この横溝部２８は、タンク本体２の外面から中央側（内部側）に向かって凹没している。横溝部２８は、凹所２２から所定寸法だけ上方に位置する箇所に設けられ、さらに、その最も下方に位置する横溝部２８から上方に向かって所定のピッチで形成されている。言い換えると、横溝部２８は、上下方向に並ぶようにして複数並設されている。
【００２２】
各横溝部２８は、図３等に示されるように、タンク本体２の後面に設けられた第１の横溝部２８１と、タンク本体２の前面に設けられた第２の横溝部２８２とにより構成されている。第１の横溝部２８１と第２の横溝部２８２とは、タンク本体２の周方向に連続している。第１の横溝部２８１は、雨水タンク１の後方に向かって開口している。また第２の横溝部２８２は、雨水タンク１の前方に向かって開口している。最も下方の第１の横溝部２８１及び第２の横溝部２８２は、図１に示されるように、それぞれが側面凹部２３に跨って設けられている。側面凹部２３内に位置する第１の横溝部２８１および第２の横溝部２８２は、平面視で内側に湾曲している。この横溝部２８が設けられることで、タンク本体２は、内部に貯留した雨水から受ける水圧に対する強度が保たれている。
【００２３】
なお、横溝部２８は、上下方向に複数設けられていなくてもよい。例えば、最下方に一つだけ設けられたものであってもよい。また、第１の横溝部２８１と第２の横溝部２８２とは、周方向に連続していなくてもよい。
【００２４】
脚部２１は、タンク本体２の下端部に設けられている。脚部２１は、正面視において左右方向に離間して一対設けられている。脚部２１の内部は、貯水部の一部を構成する。脚部２１の底面は、水平面となっており、設置面６に当接する。この一対の脚部２１の間には、凹所２２が形成されている。
【００２５】
凹所２２は、タンク本体２の底面から上方に向かって凹没する。凹所２２は、前後方向に開口している。凹所２２の対向する内側面は、それぞれが、上方に向かうほど対向間の距離が短くなるように傾斜している。
【００２６】
側面凹部２３は、タンク本体２の外面から内側（タンク本体２の内部側）に向かって凹没する。側面凹部２３は、前面と後面とのそれぞれに設けられている。側面凹部２３は、タンク本体２の左右方向の中央に設けられている。側面凹部２３は、タンク本体２の下端部に設けられている。側面凹部２３の奥面は、上下方向に長さを有し、左右方向に幅を有している。タンク本体２の前面の側面凹部２３の奥面には、蛇口部２６が設けられている。
【００２７】
蛇口部２６は、タンク本体２の前面の下部に設けられている。蛇口部２６は、貯水部に連通接続されている。これにより、蛇口部２６からは、貯水部に貯留された雨水が吐水される。
【００２８】
取水口２４は、タンク本体２内に雨水を取り込むために設けられている。取水口２４は、図６に示されるように、タンク本体２の後面の上端部に設けられている。取水口２４は、例えば、タンク本体２の後面において、背面側からみて右側に配置される。取水口２４は、取水用ホース７３を介して竪樋に連通接続される。
【００２９】
排水口２５は、タンク本体２に溜められた雨水が所定の量を超えると、その超えた分の雨水を排水するために設けられる。排水口２５は、タンク本体２の後面の上端部に設けられている。排水口２５は、例えば、タンク本体２の後面において、背面側から見て左側に配置される。排水口２５は、排水用ホース７４を介して竪樋に連通接続される。排水口２５は、取水口２４と略同じ高さに設けられている。
【００３０】
下端排水部２７は、各脚部２１に設けられている。下端排水部２７は、タンク本体２の内部に残った雨水を排水するために設けられている。下端排水部２７は、筒状吐出部２７１と、凹段部２７２とを備えている。筒状吐出部２７１は、貯水部に連通している。筒状吐出部２７１は、凹段部２７２の内部に設けられており、タンク本体２の側面からは非突出となっている。
【００３１】
固定具３は、雨水タンク１を設置面６に固定する。固定具３は、図２に示されるように、固定具本体４と、前部材５とを備えている。また、固定具３は、前部材５と固定具本体４とを接続するための取付部３１を備えている。
【００３２】
固定具本体４は、設置面６に固定される。固定具本体４は、図４に示されるように、雨水タンク１の凹所２２内に配置される。固定具本体４は、図２に示されるように、本体部４１と、立設部４２と、第一突条部４３とを備えている。固定具本体４は、金属板を曲げ加工することで、各部が形成されている。
【００３３】
本体部４１は、正面視台形状をしている。本体部４１は、雨水タンク１の凹所２２内に配置される。本体部４１は、底面部４４と、側面部４５と、斜面部４６と、天面部４７とを備えている。底面部４４は、設置面６に固定される。底面部４４には、アンカーボルトを挿通するための挿通孔４４１が複数箇所に穿設されている。側面部４５は、底面部４４の左右方向の両端から上方に向かって延出している。斜面部４６は、側面部４５の上端から上方に向かうほど対向する側面部４５側に位置するよう傾斜している。天面部４７は、斜面部４６の上端から対向する側面部４５側に向かって水平方向に延出している。
【００３４】
天面部４７には、取付片４８が設けられている。取付片４８は、天面部４７の前方側の先端から下方に向かって延出している。取付片４８には、複数のねじ孔４９が穿設されている。このねじ孔４９には、前部材５が固着具を介して取り付けられる。
【００３５】
立設部４２は、本体部４１の後方側の端部に設けられている。立設部４２は、本体部４１の後方側の端部から上方に向かって延出している。立設部４２の左右方向の両端には、リブ片４２１が設けられている。立設部４２の上端には、第一突条部４３が設けられている。
【００３６】
第一突条部４３は、立設部４２の上端から前方に向かって延出している。言い換えると、第一突条部４３は、固定具本体４に設けられている。第一突条部４３は、雨水タンク１の第１の横溝部２８１に挿入される。第一突条部４３の前端縁は、平面視で前方に湾曲（凸曲）している。
【００３７】
前部材５は、固定具本体４の本体部４１の内部に挿入される挿入部５１と、連結部５２と、第二突条部５３とを備えている。
【００３８】
挿入部５１は、断面コ字状の起立部５１１と、起立部５１１の左右方向の両端から側方に向かって延出した規制部５１２とを備えている。規制部５１２は、平面視Ｌ字状をしており、側方に臨む面が本体部４１の側面部４５の内面に当接する。規制部５１２は、起立部５１１の左右方向への移動を規制するが、起立部５１１の前後方向への移動は許容する。
【００３９】
起立部５１１の上端部には、左右方向に延出した第二舌片５１３を有している。第二舌片５１３は、それぞれが反対方向に向かうようにして一対設けられている。各第二舌片５１３には、固着具挿通孔５１４が穿設されている。
【００４０】
連結部５２は、挿入部５１の上端から前方に向かって延出している。連結部５２は、挿入部５１と第二突条部５３とを連結する。連結部５２は、側面視Ｌ字状をしている。連結部５２には、第一舌片５２１が設けられている。第一舌片５２１は、連結部の左側と右側とにそれぞれ設けられている。第一舌片５２１は、正面視逆Ｌ字状をしている。各第一舌片５２１には、固着具挿通孔５２２が穿設されている。この第一舌片５２１の固着具挿通孔５２２と、第二舌片５１３の固着具挿通孔５１４とは、略同じ高さ位置に設けられている。
【００４１】
第二突条部５３は、連結部５２の上端から後方に向かって延出している。言い換えると、第二突条部５３は、前部材５に設けられている。第二突条部５３は、雨水タンク１の第２の横溝部２８２に挿入される。
【００４２】
雨水タンク１は、次のようにして設置面６に取り付けられる。
【００４３】
施工者は、所定の位置に固定具本体４を配置する。施工者は、固定具本体４の底面部４４に設けられた挿通孔４４１にアンカーボルトを打入する。これにより固定具本体４は設置面６に固定される（図３（ａ）参照）。
【００４４】
次いで、施工者は、雨水タンク１を固定具本体４に向かって（後方に向かって）スライド移動させる。このとき施工者は、雨水タンク１の凹所２２に固定具本体４の本体部４１が入り込むようにして、雨水タンク１を移動させる（図３（ｂ）参照）。これにより、雨水タンク１の後方に向かって開口する第１の横溝部２８１が、固定具本体４の第一突条部４３に前方から通される。
【００４５】
次いで、施工者は、雨水タンク１の前方から前部材５を取り付ける。施工者は、前部材５の第二突条部５３を雨水タンク１の第２の横溝部２８２に嵌め込むようにして配置する。施工者は、この状態で、第一舌片５２１又は第二舌片５１３の固着具挿通孔５２２，５１４に固着具８（例えば、ねじ具）を挿入し、この固着具８をねじ孔４９にねじ込む。これにより、前部材５の第二突条部５３が、雨水タンク１の第２の横溝部２８２に嵌め込まれ、且つ、固定具本体４の第一突条部４３が雨水タンク１の第１の横溝部２８１に嵌め込まれ、この状態で固定具本体４に前部材５が固定される（図３（ｃ）参照）。
【００４６】
ところで、本実施形態の雨水タンク１の固定構造は、サイズの異なる複数種類の雨水タンク１を、一つの固定具３で設置面６に取り付けることができる構造となっている。
【００４７】
固定具３は、図５に示されるように、固定具本体４に前部材５を取り付けるための取付部３１を備えている。本実施形態の固定具３には、この取付部３１として、第一取付部３２と、第二取付部３３とが設けられている。
【００４８】
第一取付部３２は、図５（ａ）に示されるように、ねじ孔４９を有する固定具本体４の取付片４８と、固着具挿通孔５２２を有する前部材５の第一舌片５２１とにより構成されている。第一取付部３２を介して、固定具本体４と前部材５とが接続されると、第一突条部４３と第二突条部５３との対向間の距離が第１の距離Ｌ１となる。言い換えると、第一取付部３２は、第一突条部４３と第二突条部５３との対向間の距離が、第１の距離Ｌ１となるよう本体部４１に前部材５が取り付けられるものである。
【００４９】
第二取付部３３は、図５（ｂ）に示されるように、ねじ孔４９を有する固定具本体４の取付片４８と、固着具挿通孔５１４を有する前部材５の第二舌片５１３とにより構成されている。第二取付部３３を介して、固定具本体４と前部材５とが接続されると、第一突条部４３と第二突条部５３との対向間の距離が第２の距離Ｌ２となる。この第２の距離Ｌ２は、第１の距離Ｌ１よりも長い。言い換えると、第二取付部３３は、第一突条部４３と第二突条部５３との対向間の距離が、第１の距離Ｌ１よりも長い第２の距離Ｌ２となるよう本体部４１に前部材５が取り付けられるものである。
【００５０】
ここで、雨水タンク１は、容量に応じてサイズが異なる。つまり、雨水タンク１は容量に応じて、前後方向の長さが異なる。従って、施工者は、本体部４１に前部材５を取り付けるに当たり、雨水タンク１の前後方向の長さに応じて、第一取付部３２および第二取付部３３のいずれかを選択することができる。
【００５１】
なお、本実施形態の第１の距離Ｌ１は、例えば容量１５０Ｌの雨水タンク１の第１の横溝部２８１の溝奥面と第２の横溝部２８２の溝奥面との間の距離に設定されている。また、第２の距離Ｌ２は、例えば容量２００Ｌの雨水タンク１の第１の横溝部２８１の溝奥面と第２の横溝部２８２の溝奥面との間の距離に設定されている。
【００５２】
固定された雨水タンク１は、図６に示されるように、竪樋に接続される。竪樋は、第１の竪樋７０と、第２の竪樋７１とを備えている。第１の竪樋７０は、第２の竪樋７１の上流側に配置されている。第１の竪樋７０と第２の縦樋７１との間には取水装置７２が接続されている。取水装置７２は、雨水取込口７２１と、第１の分岐口７２２と、第２の分岐口７２３とを備えている。第１の分岐口７２２と第２の分岐口７２３とは、雨水取込口７２１から分岐している。雨水取込口７２１には、第１の竪樋７０が接続される。第２の分岐口７２３には、第２の竪樋７１が接続される。第１の分岐口７２２と雨水タンク１の取水口２４との間には、取水用ホース７３が接続される。
【００５３】
第１の竪樋７０を流下した雨水は、雨水取込口７２１から取水装置７２に流入する。そして、雨水の一部または全部が、第１の分岐口７２２に流入し、取水用ホース７３を介して雨水タンク１に流入する。
【００５４】
また雨水タンク１の排水口２５は、排水用ホース７４を介して竪樋に連通接続される。第２の竪樋７１には排水装置７５が接続されている。排水装置７５は、第１の取込口７５１と、第２の取込口７５２と、雨水流出口７５３とを備えている。第１の取込口７５１と第２の取込口７５２とは、雨水流出口７５３に連通している。第１の取込口７５１と雨水タンク１の排水口２５とは、排水用ホース７４を介して接続される。第２の取込口７５２は、第２の竪樋７１に接続される。雨水流出口７５３は、排水溝（図示せず）に接続される。
【００５５】
以上説明したように、本実施形態の雨水タンク１の固定構造は、雨水タンク１と、固定具３とを備えている。雨水タンク１は、内部に雨水を貯留する。また雨水タンク１は、設置面６に載置される。固定具３は、設置面６に雨水タンク１を固定する。雨水タンク１は、一対の脚部２１と、凹所２２と、第１の横溝部２８１と、第２の横溝部２８２とを備えている。脚部２１は、雨水タンク１の下端部において左右方向に離間して設けられている。凹所２２は、一対の脚部２１の間に設けられている。凹所２２は、雨水タンク１の底面から上方に凹没し、且つ前後方向に開口する。第１の横溝部２８１は、雨水タンク１の後面に設けられており、また、後方に向かって開口する。第２の横溝部２８２は、雨水タンク１の前面に設けられており、また、前方に向かって開口する。固定具３は、固定具本体４と、第一突条部４３と、前部材５とを備えている。固定具本体４は、凹所２２内に配置された状態で設置面６に固定される。第一突条部４３は、固定具本体４に設けられる。また第一突条部４３は、第１の横溝部２８１に挿入される。前部材５は、第２の横溝部２８２に挿入される第二突条部５３を有している。前部材５は、固定具本体４に取り付けられる。
【００５６】
このため、本実施形態の雨水タンク１の固定構造によれば、第一突条部４３と第二突条部５３とで雨水タンク１を固定することができるため、設置後の雨水タンク１が設置面６から浮き上がってしまうのを防ぐことができる。しかも、本実施形態の雨水タンク１の固定構造によれば、固定具本体４を固定した上で、雨水タンク１を設置面６に沿って移動させ、その後、前部材５を取り付けることができるため、雨水タンク１を持ち上げなくても取付施工を行なうことができる。
【００５７】
また、本実施形態の雨水タンク１の固定構造によれば、雨水タンク１を移動させる前に、予め固定具本体４を設置面６に固定しておくことができる。このため、図４に示すように、固定具本体４を建物の外壁面６１にできる限り近づけた位置に配置することができる。しかも、前部材５は、雨水タンク１の前方から取り付けられるため、作業スペースの広い雨水タンク１の前方で取付施工を行なうことができ、施工性がよい。
【００５８】
また、本実施形態の雨水タンク１の固定具３は、第一取付部３２と、第二取付部３３とを備えている。第一取付部３２では、第一突条部４３と第二突条部５３との対向間の距離が、第１の距離Ｌ１となるよう本体部４１と前部材５とが接続される。また第二取付部３３では、第一突条部４３と第二突条部５３との対向間の距離が、第１の距離Ｌ１よりも長い第２の距離Ｌ２となるよう本体部４１と前部材５とが接続される。そして、本体部４１に前部材５が取り付けられる際、雨水タンク１の前後方向の長さに応じて第一取付部３２および第二取付部３３のいずれかが選択される。
【００５９】
このため、本実施形態の雨水タンク１の固定構造によれば、雨水タンク１のサイズに応じて、前部材５の位置を変えることができる。これにより、サイズの異なる複数種類の雨水タンク１に対して、一つの固定具３で対応することができる。
【００６０】
なお、本実施形態の固定具３は、取付部３１として、第一取付部３２と第二取付部３３とを備えていたが、本発明においては、取付部３１は１つ又は３つ以上設けられていてもよい。
【００６１】
次に、実施形態２について図７，８に基づいて説明する。なお、本実施形態は実施形態１と大部分において同じであるため、同じ部分においては同符号を付して説明を省略し、主に異なる部分について説明する。
【００６２】
本実施形態の雨水タンク１の固定構造は、雨水タンク１は実施形態１と同じであるが、固定具３の構造が実施形態１とは相違している。
【００６３】
固定具３は、実施形態１と同様、設置面６に固定され、これにより雨水タンク１を設置面６に固定する。固定具３は、固定具本体４と、前部材５とを備えている。
【００６４】
固定具本体４は、雨水タンク１の凹所２２内に配置される。また、固定具本体４は、設置面６に固定される。固定具本体４は、図７に示すように、本体部４１と、立設部４２と、第一突条部４３とを備えている。
【００６５】
本体部４１は、底面部４４と、側面部４５と、天面部４７とを備えている。底面部４４は、設置面６に面状に当接した状態で当該設置面６に固定される。側面部４５は、底面部４４の左右方向の両端から上方に向かって延出している。天面部４７は、各側面部４５の上端から反対側の側面部４５側に向かって延出している。天面部４７の上面には、前後方向の全長に亙って弾性材７が貼着されている。
【００６６】
立設部４２は、立設片４２２と、折曲片４２３とにより構成されている。立設片４２２は、底面部４４の後端から上方に向かって延出している。立設片４２２は、底面部４４の後端から延出した金属板部分を上方に曲げ加工することで形成されている。立設片４２２は、左右方向に幅を有し、上下方向に長さを有している。折曲片４２３は、立設片４２２の幅方向の両端から前方に向かって延出している。折曲片４２３は、側面部４５の外側面に重ねられた状態で固定される。この折曲片４２３と側面部４５とは、例えば溶接等によって相互に固定される。なお、折曲片４２３と側片部４５とは、単に重ねられただけで、相互に固定されたものでなくてもよい。
【００６７】
立設片４２２の前面には、弾性材７が貼着されている。この弾性材７は、図８に示すように、雨水タンク１の凹所２２の上縁部分に当接するように配置される。
【００６８】
第一突条部４３は、図７に示されるように、立設片４２２の上端から前方に向かって延出している。第一突条部４３は、立設片４２２の幅方向の全長に亙って設けられている。第一突条部４３の突出先端は、平面視で円弧状に形成されている。
【００６９】
前部材５は、固定具本体４の前側に着脱自在に取り付けられる。前部材５は、縦面部５４と、延出片５５と、第二突条部５３と、下延出片５７とを備えている。
【００７０】
縦面部５４は、上下方向に長さを有し、左右方向に幅を有している。縦面部５４は、正面視において、本体部４１と同じ大きさに形成されている（つまり、平面視において縦面部５４の外縁と本体部４１の外縁とは略一致している。）。延出片５５は、縦面部５４の幅方向の両端から後方に向かって延出している。延出片５５は、本体部４１の側面部４５の外側面に重ねられる。第二突条部５３は、縦面部５４の上端から後方に向かって延出している。第二突条部５３の突出先端は、平面視で円弧状に形成されている。
【００７１】
延出片５５には、固着具挿通孔５６が設けられている。また、固定具本体４の側面部４５には、延出片５５の固着具挿通孔５６に対応する箇所にねじ孔４９が設けられている。固定具本体４と前部材５とは、延出片５５と側面部４５とが重ねられた状態で、固着具８が固着具挿通孔５６に挿通され、ねじ孔４９にねじ込まれることで相互に固定される。
【００７２】
下延出片５７は、縦面部５４の下端部から後方に向かって延出している。下延出片５７と縦面部５４とは直交している。下延出片５７は、固定具本体４に前部材５が取り付けられると、その下面が、本体部４１の底面部４４の上面に当接する。
【００７３】
また、縦面部５４の後面には、弾性材７が貼着されている。この弾性材７は、図８に示されるように、雨水タンク１の凹所２２の上縁部分に当接するように配置される。
【００７４】
本実施形態の雨水タンク１の固定構造は、次のようにして取り付け施工される。
【００７５】
施工者は、設置面６の所定の位置に固定具本体４を配置し、固定する（図８（ａ）参照）。次いで、施工者は、雨水タンク１を固定具本体４の前方から固定具本体４に向かってスライド移動させる。これにより、雨水タンク１の後方に向かって開口する第１の横溝部２８１が、固定具本体４の第一突条部４３に前方から通される（図８（ｂ）参照）。
【００７６】
次いで、施工者は、固定具本体４４に前部材５を取り付ける。施工者は、前部材５の第二突条部５３を雨水タンク１の第２の横溝部２８２に嵌め込むようにして、前部材５を固定具本体４に取り付ける。これにより、前部材５の第二突条部５３が、雨水タンク１の第２の横溝部２８２に嵌め込まれ、且つ、固定具本体４の第一突条部４３が雨水タンク１の第１の横溝部２８１に嵌め込まれる（図８（ｃ）参照）。
【００７７】
本実施形態の雨水タンク１の固定構造によれば、実施形態１と同様、設置された雨水タンク１が設置面６から浮き上がってしまうのを防ぐことができ、雨水タンク１を強固に固定できる。また、施工者は、雨水タンク１を設置面６上を滑らせて移動させ、予め設置面６に固定された固定具本体４に固定することができるため、雨水タンク１を持ち上げなくても取付施工できる。この結果、本実施形態の雨水タンク１の固定構造によれば、雨水タンク１を設置する施工性を向上させることができる。
【００７８】
また、本実施形態の固定具３には、前部材５の後面と、立設片４２２の前面と、本体部４１の天面部４７とに弾性材７が設けられている。すなわち、固定具３と雨水タンク１とが接する箇所には弾性材７が設けられているため、固定具３に雨水タンク１が固定された状態で、雨水タンク１のがたつきを抑制することができる。なお、天面部４７に設けられた弾性材７は、図８に示すように、設置するときには雨水タンク１には接触せず、雨水タンク１に雨水が貯留されたときに、雨水タンク１に接触するようになっている。
【００７９】
また、本実施形態の第一突条部４３および第二突条部５３の突出先端は、平面視で円弧状に形成されており、雨水タンク１の第１の横溝部２８１または第２の横溝部２８２に沿った形状となっている。このため、第一突条部４３および第二突条部５３は、雨水タンク１の第１の横溝部２８１または第２の横溝部２８２に線状に当接する。これにより、本実施形態の雨水タンク１の固定構造によれば、設置状態における雨水タンク１のがたつきが、より一層、抑制される。
【符号の説明】
【００８０】
１      雨水タンク
２      タンク本体
２１    脚部
２２    凹所
２３    側面凹部
２８    横溝部
２８１  第１の横溝部
２８２  第２の横溝部
３      固定具
３１    取付部
３２    第一取付部
３３    第二取付部
４      固定具本体
４１    本体部
４２    立設部
４３    第一突条部
４４    底面部
４５    側面部
４６    斜面部
４７    天面部
４８    取付片
４９    ねじ孔
５      前部材
５１    挿入部
５１１  起立部
５１２  規制部
５１３  第二舌片
５２    連結部
５２１  第一舌片
５３    第二突条部
６      設置面
Ｌ１    第１の距離
Ｌ２    第２の距離
【図１】
2014051878.tif 000003
【図２】
2014051878.tif 000004
【図３】
2014051878.tif 000005
【図４】
2014051878.tif 000006
【図５】
2014051878.tif 000007
【図６】
2014051878.tif 000008
【図７】
2014051878.tif 000009
【図８】
2014051878.tif 000010